(57)【特許請求の範囲】
【請求項１】
ドリルヘッドに固定される取付台に設けたチップ取付用凹陥部、またはドリルヘッドに直接設けたチップ取付用凹陥部にチップを嵌合し、このチップの上下面間を貫通するボルト挿通孔にチップ固定用ボルトを挿通し、このボルトをチップ取付用凹陥部の底面に形成されたねじ孔に螺合して締結することにより、前記チップを前記凹陥部に取り付けるようにしたスローアウエイチップにおいて、前記凹陥部の底面に当接するチップの下面に、微小凹凸部が全面にわたって規則的に均一に形成され、該微小凹凸部の各凹部が前記チップ下面に互いに隣接して形成された環状溝からなり、この環状溝と前記凹陥部の底面との間に空隙部を形成すると共に、この環状溝以外の部分がそれぞれ凸部を形成してなるスローアウエイチップ。
【発明の詳細な説明】
【０００１】
【発明の属する技術分野】
本発明は、金属被削材に深穴等の穴明け加工をするための切削刃、特にドリルヘッドに交換可能に取り付けられる所謂スローアウエイチップに関する。
【０００２】
【従来の技術】
先ず、スローアウエイチップの取り付け状態を、本発明の実施例を示す図１〜図４を参照して説明すると、図１及び図２に示すように、ドリルヘッド１の先端部に複数の取付用凹部２が設けてあって、各取付用凹部２に、スローアウエイチップ３を取り付けた取付台４がボルト５により固定されている。尚、ドリルヘッド１の取付部１ａに工具シャンク部（図示せず）が取り付けられるようになっている。
【０００３】
図３に示すように、取付台４にはチップ取付用凹陥部６が設けられていて、この凹陥部６にスローアウエイチップ３を嵌合し、このチップ３を、チップ固定具としてのボルト７によって固定し、これをカートリッジとして上述のようにドリルヘッド１の取付用凹部２にボルト５で固定するようになっている。尚、チップ取付用凹陥部６をドリルヘッド１自体に設けて、これにスローアウエイチップ３を直接取り付ける場合もある。
【０００４】
【発明が解決しようとする課題】
ところで、この種のスローアウエイチップ３は、図１〜図４に示すように正面視三角形の厚板状に形成されていて、その下面をチップ取付用凹陥部６の底面６ａに当接させ、上記のように固定具（ボルト７）で固定するわけであるが、従来のスローアウエイチップは、チップ取付用凹陥部６の底面６ａに当接するチップ下面が上記底面６ａと同様な平坦面に形成されているため、チップをチップ取付用凹陥部６に取り付けるにあたって、この凹陥部６の底面６ａに切粉や塵が付着している場合、その切粉等が付着したままチップを固定すると、このチップの下面がチップ取付用凹陥部６の底面６ａに対し平行とならず傾斜状を呈して取付台４からのチップの突出量が変わったり、また固定具によるチップの固定力が弱くなって緩み易く、切削中にチップがガタつきを生じることがあった。また、チップの下面と前記凹陥部６の底面６ａとは、それらの平面加工時の製作誤差等によって完全に面接触することが実際に難しく、この点からもチップをチップ取付用凹陥部６に確実に固定することができなかった。
【０００５】
本発明は、上記の課題に鑑み、チップをチップ取付用凹陥部に対し確実且つ強固に固定することのできるスローアウエイチップを提供するものである。
【０００６】
【課題を解決するための手段】
本発明は、ドリルヘッド１に固定される取付台４に設けたチップ取付用凹陥部６、またはドリルヘッド１に直接設けたチップ取付用凹陥部６にチップ３を嵌合し、このチップ３の上下面３ａ，３ｂ間を貫通するボルト挿通孔１３にチップ固定用ボルト７を挿通し、このボルト７をチップ取付用凹陥部６の底面６ａに形成されたねじ孔８に螺合して締結することにより、前記チップ３を前記凹陥部６に取り付けるようにしたスローアウエイチップ３において、前記凹陥部６の底面６ａに当接するチップ３の下面３ａに、微小凹凸部１１，１２、２１，２２が全面にわたって規則的に均一に形成され、該微小凹凸部１１，１２、２１，２２の各凹部１１，２１は、前記チップ下面３ａに互いに隣接して形成された環状溝からなり、この環状溝と前記凹陥部６の底面６ａとの間に空隙部を形成すると共に、この環状溝以外の部分がそれぞれ凸部１２，２２を形成してなることを特徴とする。
【０００７】
このスローアウエイチップ３によれば、チップ下面３ａがチップ取付用凹陥部６の底面６ａに当接した状態において、チップ下面３ａの各凸部１２，２２のみが凹陥部６の底面６ａと接触し、各凹部１１，２１は上記底面６ａとの間に空隙部を形成する。しかして、このチップ３をチップ取付用凹陥部６に取り付ける際に、チップ取付用凹陥部６の底面６ａに切粉や塵が付着している場合には、チップ下面３ａを凹陥部底面６ａ上で摺動させながらその底面６ａに当接させるようにすることによって、切粉等がチップ下面３ａの凹部１１，２１と凹陥部底面６ａとの間の空隙部に押し込まれる状態となり、切粉等はチップ下面３ａの凸部１２，２２との間にほとんど介在しなくなる。また、各凹部１１，２１は前記チップ３の下面３ａに互いに隣接して形成された環状溝からなり、この環状溝以外の部分がそれぞれ凸部１２，２２を形成するから、このチップ３をチップ固定用ボルト７で固定すると、その固定力が、チップ下面３ａの各凸部１２，２２を介してチップ取付用凹陥部６の底面６ａ全域にわたり一様に作用すると共に、各凸部１２，２２の周縁が上記底面６ａに対し食い付き効果を発揮し、それによってチップ３はチップ取付用凹陥部６の底面６ａ上に確実且つ強固に固定される。
【００１０】
【発明の実施の形態】
図１及び図２は、本発明に係るスローアウエイチップ３をドリルヘッド１に取り付けた状態を示すもので、ドリルヘッド１の先端部に複数の取付用凹部２が設けられ、各取付用凹部２に、スローアウエイチップ３を取り付けた取付台４がボルト５により固定されている。図３及び図４は、スローアウエイチップ３を取付台４に取り付けた状態を示したもので、この取付台４の先端側には、スローアウエイチップ３が嵌合可能なチップ取付用凹陥部６が形成され、この凹陥部６の底面６ａには固定具としてのチップ固定用ボルト７を螺合するねじ孔８が形成されている。また、取付台４の基端側には、取付台固定用のボルト５を挿通するボルト挿通穴９が貫設されている。
【００１１】
このスローアウエイチップ３は、正面視正三角形の厚板状に形成されると共に、各隅角部が丸く形成され、その正面、即ち上面３ｂには若干膨出する段部１０が形成され、そしてチップ取付用凹陥部６の底面６ａに当接する当該チップ３の下面３ａには微細な凹凸部１１，１２が多数配設されている。また、このチップ３の中央部にはチップ固定用ボルト７を挿通するボルト挿通孔１３が上下面３ｂ，３ａを貫通して形成されている。尚、上記ボルト挿通孔１３は、その入口部がチップ固定用ボルト７の皿頭部に対応するテーパ状に形成されている。
【００１２】
図５は、チップ取付用凹陥部６に嵌合されたスローアウエイチップ３の拡大縦断面図、図６はスローアウエイチップ３の下面３ａ側を拡大して示したもので、これらの図から明らかなように微小凹凸部１１，１２は、チップ下面３ａ全面にわたって規則的に均一に形成されている。これら微小凹凸部１１，１２のうち各凹部１１は、チップ３下面に互いに隣接して形成された円形の環状溝からなり、この円形環状溝以外の部分がそれぞれ凸部１２を形成している。
【００１３】
このようにチップ下面３ａに微小凹凸部１１，１２を形成したスローアウエイチップ３によれば、図５に示すようにチップ下面３ａがチップ取付用凹陥部６の底面６ａに当接した状態において、チップ下面３ａの各凸部１２のみが凹陥部６の底面６ａと接触し、各凹部１１は上記底面６ａとの間に空隙部を形成することになる。従って、このスローアウエイチップ３を取付台４のチップ取付用凹陥部６に取り付ける際に、チップ取付用凹陥部６の底面６ａに切粉や塵が付着している場合には、チップ下面３ａを凹陥部底面６ａ上で摺動させながらその底面６ａに当接させるようにすることによって、上記切粉等がチップ下面３ａの凹部１１と凹陥部底面６ａとの間の空隙部に押し込まれてしまい、切粉等はチップ下面３ａの凸部１２との間にほとんど介在しなくなる。そして、各凸部１２の周縁がチップ取付用凹陥部６の底面６ａに対し所謂食い付き効果を発揮することができる。
【００１４】
従って、斯かる状態で、このチップ３をチップ固定用ボルト７で締結固定すると、このボルト７の固定力が、チップ下面３ａの各凸部１２を介してチップ取付用凹陥部６の底面６ａ上に分散してスポット的に作用すると共に、各凸部１２の周縁が上記底面６ａに対し食い付き効果を発揮し、これによってこのチップ３はチップ取付用凹陥部６の底面６ａ上に確実且つ強固に固定される。また、上記のようにボルト７の固定力が各凸部１２を介してチップ取付用凹陥部６の底面６ａ上にスポット的に作用することから、上記底面６ａ上に多少の切粉等が残存していても、上記ボルト７の固定力を各凸部１２を介し局部的に上記底面６ａ上に作用させることができて、チップ３を確実に固定することができる。
【００１５】
この場合、微小凹凸部１１，１２が、チップ下面３ａ全面にわたって規則的に均一に形成されているため、ボルト７の固定力がチップ取付用凹陥部６の底面６ａ全域に一様に作用すると共に、各凸部１２による食い付き効果がより効果的に発揮され、チップ３を一層強固に固定することができる。
【００１６】
図７の（Ａ）及び（Ｂ）は、六角形の環状溝からなる凹部２１と、この凹部２１以外の部分に形成される凸部２２とからなる微小凹凸部２１，２２を、スローアウエイチップ３の下面３ａに形成した例を示している。これによると、六角形環状溝からなる凹部２１によって前記食い付き効果がより一層効果的となる。また、本発明に係る微小凹凸部の各凹部は、円形や六角形の環状溝に限らず、楕円形、三角形、四角形等に形成することができるものである。
【００１８】
以上説明した実施例では、ドリルヘッドに固定される取付台にチップ取付用凹陥部を設けているが、チップ取付用凹陥部をドリルヘッドに直接設けて、このドリルヘッドのチップ取付用凹陥部にスローアウエイチップを直接取り付けるようにしてもよい。
【００１９】
【発明の効果】
本発明のスローアウエイチップによれば、チップ取付用凹陥部の底面に当接するチップ下面に、互いに隣接して形成された環状溝の凹部と、この環状溝以外の部分で形成する凸部とからなる微小凹凸部を、全面にわたって規則的に均一に形成したことにより、固定具による固定力が、チップ下面の凸部を介してチップ取付用凹陥部の底面全域にわたり一様に作用すると共に、各凸部の周縁が上記底面に対し食い付き効果を発揮し、それによってチップをチップ取付用凹陥部の底面上に確実且つ強固に固定させることができる。
【図面の簡単な説明】
【図１】  本発明に係るスローアウエイチップをドリルヘッドに取り付けた状態を示す正面図である。
【図２】  図１に示すドリルヘッドの平面図である。
【図３】  スローアウエイチップ、取付台及びチップ固定用ボルトを示す分解斜視図である。
【図４】  （Ａ）は、スローアウエイチップをチップ取付用ボルトで取り付けた取付台の正面図、（Ｂ）は、（Ａ）のＸ−Ｘ線断面図である。
【図５】  スローアウエイチップの拡大縦断面図である。
【図６】  図５に示すチップの底面（下面）図である。
【図７】  （Ａ）は、六角形の環状凹部を有するスローアウエイチップの一部拡大縦断面図、（Ｂ）は、（Ａ）に示すチップの底面（下面）図である。
【符号の説明】
１          ドリルヘッド
３          スローアウエイチップ
３ａ        チップ下面
３ｂ        チップ上面
４          取付台
６          チップ取付用凹陥部
６ａ        チップ取付用凹陥部の底面
７          チップ固定用ボルト
８          ねじ孔
１１        微小凹凸部の凹部
１２        微小凹凸部の凸部
１３        ボルト挿通孔
２１        微小凹凸部の凹部
２２        微小凹凸部の凸部
【図１】
0003724856.tif 000002
【図２】
0003724856.tif 000003
【図３】
0003724856.tif 000004
【図４】
0003724856.tif 000005
【図５】
0003724856.tif 000006
【図６】
0003724856.tif 000007
【図７】
0003724856.tif 000008